(57)【要約】【課題】画像処理装置に近づいてきたユーザの用途をより確実に判定し、不要な省電力モードからの復帰を防止すること。【解決手段】画像処理装置１００では、排紙センサ２３２が胴内フィニッシャー１０３に排紙された紙を検知している場合（Ｓ２１でＹｅｓの場合）には、第二の人感センサ２３１に検知される物体は紙を取りに来たユーザである可能性が高いと判断し、第二の人感センサ２３１による物体の検知による省電力モードから通常電力モードへの移行を所定時間経過後に実行し、排紙センサ２３２が胴内フィニッシャー１０３に排紙された紙を検知していない場合（Ｓ２１でＮｏの場合）には、第二の人感センサ２３１に検知される物体は紙を取りに来たユーザである可能性が低いと判断し、前記通常電力モードへの移行を前記所定時間経過前に実行する。【選択図】図５
2014108606.tif 000002
【特許請求の範囲】
【請求項１】
少なくとも第１電力状態と、前記第１電力状態より消費電力の少ない第２電力状態を切り替えて動作可能な画像処理装置であって、
物体を検知する検知手段と、
前記検知手段による物体の検知に応じて、前記第２電力状態から前記第１電力状態に移行するように前記画像処理装置の電力状態を制御する電力制御手段と、
前記画像処理装置の排紙部に排紙された紙を検知する排紙検知手段と、を備え、
前記電力制御手段は、前記排紙検知手段が紙を検知している場合には、前記第１電力状態への移行を所定時間経過後に実行し、前記排紙検知手段が紙を検知していない場合には、前記第１電力状態への移行を前記所定時間経過前に実行する、
を有することを特徴とする画像処理装置。
【請求項２】
前記所定時間が経過する前に、前記検知手段が物体を検知しなくなった場合、前記電力制御手段は、前記第１電力状態への移行を中止することを特徴とする請求項１に記載の画像処理装置。
【請求項３】
前記所定時間が経過する前に、前記排紙検知手段が紙を検知しなくなった場合、前記電力制御手段は、一定時間、前記第２電力状態を維持することを特徴とする請求項１又は２に記載の画像処理装置。
【請求項４】
前記検知手段は、第１検知手段と、前記第１検知手段より検知範囲の狭い第２検知手段とを有し、
前記電力制御手段は、前記第１検知手段による物体の検知に応じて前記第２電力状態より消費電力の少ない第３電力状態から前記第２電力状態へ移行させ、前記第２検知手段による物体の検知に応じて前記第２電力状態から前記第１電力状態に移行させることを特徴とする請求項１乃至３のいずれか１項に記載の画像処理装置。
【請求項５】
前記第１検知手段は、前記第３電力状態で給電され、
前記第２検知手段は、前記第２電力状態に移行した場合に給電されることを特徴とする請求項４に記載の画像処理装置。
【請求項６】
前記第１検知手段は、前記第３電力状態で給電され、
前記第２検知手段は、前記第２電力状態に移行し、且つ、前記排紙検知手段が紙を検知していない場合に給電されることを特徴とする請求項４に記載の画像処理装置。
【請求項７】
前記排紙検知手段は、前記第２電力状態で給電されることを特徴とする請求項４乃至６のいずれか１項に記載の画像処理装置。
【請求項８】
前記排紙部に排紙された紙を取る人の手を検知する第３検知手段を有し、
前記所定時間が経過する前に、前記第３検知手段が手を検知した場合、前記電力制御手段は、前記第１電力状態への移行を中止することを特徴とする請求項１乃至７のいずれか１項に記載の画像処理装置。
【請求項９】
前記第３検知手段は、前記排紙検知手段が紙を検知した場合、給電されることを特徴とする請求項８に記載の画像処理装置。
【請求項１０】
前記排紙部は、胴内排紙部であることを特徴とする請求項１乃至９のいずれか１項の記載の画像処理装置。
【請求項１１】
少なくとも第１電力状態と、前記第１電力状態より消費電力の少ない第２電力状態を切り替えて動作可能な画像処理装置の制御方法であって、
電力制御手段が、物体を検知する検知手段による物体の検知に応じて、前記第２電力状態から前記第１電力状態に移行するように前記画像処理装置の電力状態を制御する電力制御ステップと、
前記電力制御ステップでは、前記電力制御手段が、前記画像処理装置の排紙部に排紙された紙を検知する排紙検知手段が紙を検知している場合には、前記第１電力状態への移行を所定時間経過後に実行し、前記排紙検知手段が紙を検知していない場合には、前記第１電力状態への移行を前記所定時間経過前に実行することを特徴とする画像処理装置の制御方法。
【発明の詳細な説明】
【技術分野】
【０００１】
本発明は、人体検知技術を用いた画像処理装置の電力制御に関する。
【背景技術】
【０００２】
従来の画像処理装置においては、複数の電力モードを持ち、モードに応じて装置内の電源を切断する省電力モードがサポートされている。しかし、省電力モードから通常の電力モードへの復帰に時間が掛かってしまい、利便性を低下させてしまう場合がある。
【０００３】
この問題を解決するため、人体検知部を設け、人が近づいてきたと判定された場合に、省電力モードから復帰するものがある（特許文献１参照）。さらに、この人体検知部を排紙部や給紙部に設置することにより、近づいてきたユーザの目的を判定し、不要な起動を防ぎつつ、利便性を向上させようとしたものがある。また、排紙の用紙の有無を判定する用紙センサを用いて、人体検知部の検知範囲を調整し、不要な起動を防ぐものがある。
【先行技術文献】
【特許文献】
【０００４】
【特許文献１】特開２０１０−２１７３０３号公報
【発明の概要】
【発明が解決しようとする課題】
【０００５】
しかしながら、上記特許文献１に記載の技術では、画像処理装置が胴内排紙であった場合には、出力した紙をユーザが取りに来るケースにおいても、操作部の正面に立ってしまうため、目的の判定が出来ない可能性がある。
【０００６】
本発明は、上記の問題点を解決するためになされたものである。本発明の目的は、不要な省電力モードからの復帰を防止し、ユーザの利便性の向上を図りつつ、不要な電力消費の低減と寿命のある装置部品の延命をすることが可能となる仕組みを提供することである。
【課題を解決するための手段】
【０００７】
本発明は、少なくとも第１電力状態と、前記第１電力状態より消費電力の少ない第２電力状態を切り替えて動作可能な画像処理装置であって、物体を検知する検知手段と、前記検知手段による物体の検知に応じて、前記第２電力状態から前記第１電力状態に移行するように前記画像処理装置の電力状態を制御する電力制御手段と、前記画像処理装置の排紙部に排紙された紙を検知する排紙検知手段と、を備え、前記電力制御手段は、前記排紙検知手段が紙を検知している場合には、前記第１電力状態への移行を所定時間経過後に実行し、前記排紙検知手段が紙を検知していない場合には、前記第１電力状態への移行を前記所定時間経過前に実行する、を有することを特徴とする。
【発明の効果】
【０００８】
本発明によれば、不要な省電力モードからの復帰を防止し、ユーザの利便性の向上を図りつつ、不要な電力消費の低減と寿命のある装置部品の延命をすることができる。
【図面の簡単な説明】
【０００９】
【図１】本発明の一実施例を示す画像処理装置の外観を示す図である。
【図２】人感センサ２３１、２３０、排紙センサ２３３の検知範囲の一例を示す図である。
【図３】実施例１における画像処理装置１００のハードウェア構成の一例を示すブロック図である。
【図４Ａ】実施例１における画像処理装置１００の給電構成の一例を示すブロック図である。
【図４Ｂ】実施例１における排紙センサ２３２と第二の人感センサ２３１についての詳細なブロック図である。
【図５】実施例１における画像処理装置１００のセンサ電源制御の一例を示すフローチャートである。
【図６】実施例１における画像処理装置１００の電源状態とセンサの検知状態の一例を示すシーケンス図である。
【図７Ａ】実施例２における画像処理装置１００の給電構成の一例を示すブロック図である。
【図７Ｂ】実施例２における排紙センサ２３２と第二の人感センサ２３１についての詳細なブロック図である。
【図８】実施例２における画像処理装置１００のセンサ電源制御の一例を示すフローチャートである。
【図９】実施例２における画像処理装置１００の電源状態とセンサの検知状態の一例を示すシーケンス図である。
【図１０】実施例３における画像処理装置１００のハードウェア構成の一例を示すブロック図である。
【図１１Ａ】実施例３における画像処理装置１００の給電構成の一例を示すブロック図である。
【図１１Ｂ】実施例３における排紙センサ２３２と第二の人感センサ２３１、第二の排紙センサ２３３についての詳細なブロック図である。
【図１２】実施例３における画像処理装置１００のセンサ電源制御の一例を示すフローチャートである。
【図１３】実施例３における画像処理装置１００の電源状態とセンサの検知状態の一例を示すシーケンス図である。
【図１４Ａ】実施例４における画像処理装置１００の給電構成の一例を示すブロック図である。
【図１４Ｂ】実施例４における第一の排紙センサ２３２と第二の人感センサ２３１、第二の排紙センサ２３３についての詳細なブロック図である。
【図１５】実施例４における画像処理装置１００のセンサ電源制御の一例を示すフローチャートである。
【図１６】実施例４における画像処理装置１００の電源状態とセンサの検知状態の一例を示すシーケンス図である。
【発明を実施するための形態】
【００１０】
以下、本発明を実施するための形態について図面を用いて説明する。
【実施例１】
【００１１】
図１は、本発明の一実施例を示す画像処理装置の外観を示す図である。なお、図１（Ａ）は画像処理装置を正面から見た図に対応する。また、図１（Ｂ）は画像処理装置を上面から見た図に対応する。
【００１２】
図１に示すように、画像処理装置１００は、操作部２１３、スキャナ２１５、胴内フィニッシャー（胴内排紙部）１０３、プリンタ２１６などから構成される。画像処理装置１００は、コピー、プリント、ＦＡＸ、スキャンなどの機能を持つ。
【００１３】
画像処理装置１００は、通常電力モード（第１電力状態）、通常電力モードよりも消費電力が小さい省電力モード２（第２電力状態）、省電力モード２よりも消費電力が小さい省電力モード１（第３電力状態）のいずれかに切り替えて動作可能である。
【００１４】
画像処理装置１００は、人感センサ２３０と人感センサ２３１とを有する。
人感センサ２３０は、省電力モード１で動作するセンサ（第１検知部）であり、図２（Ａ）及び（Ｂ）の１１１に示すような検知範囲を有し、広範囲に物体を検知する。
人感センサ２３１は、省電力モード２で動作するセンサ（第２検知部）であり、図２（Ａ）及び（Ｂ）の１１２に示すような検知範囲を有し、人感センサ２３０より狭い範囲で物体を検知する。
【００１５】
人感センサ２３０，人感センサ２３１が検知する物体は、静止体であっても移動体であってもよい。本実施例では、人感センサ２３０，人感センサ２３１が検知する物体を人体として説明するが、人感センサ２３０，人感センサ２３１が検知する物体は人体に限定されるものではない。本実施例では、人感センサ２３０，人感センサ２３１は、人体等の物体が近づいてきたことを検知可能である。
【００１６】
また、画像処理装置１００は、排紙センサ２３２と、排紙センサ２３３とを有する。排紙センサ２３２は、出力した紙が胴内フィニッシャー１０３にあることを検知するセンサ（排紙検知部）である。排紙センサ２３３は、出力した紙をユーザが取る動作（ユーザの手）を検知するセンサ（第３検知部）であり、図２（Ａ）の１１０に示すような検知範囲を有する。
【００１７】
図２は、人感センサ２３１、２３０、排紙センサ２３３の検知範囲の一例を示す図である。なお、図２（Ａ）は画像処理装置１００を正面から見た場合の検知範囲を示す。また、図２（Ｂ）は画像処理装置１００を上面から見た場合の検知範囲を示す。
【００１８】
人感センサ２３０、２３１、排紙センサ２３３は、焦電センサや反射センサなど離れた場所にある物体を検知するようなセンサを用いる。例えば、人感センサ２３０に焦電センサ、人感センサ２３１に反射センサ、排紙センサ２３３に反射センサを用いる。なお、焦電センサはパッシブ型の人感センサで、人体等の温度を持つものから自然に放射されている赤外線による温度変化を検知することで人体の接近を検出するものである。焦電センサは、消費電力が小さく、検知領域は比較的広いのが特徴である。また、反射センサはアクティブ型の人感センサで、自ら赤外線を発光して人体を検出するものである。反射センサは、焦電センサと比較して消費電力が大きく、検知領域は比較的狭いのが特徴である。なお、各センサ２３０〜２３３に用いられる赤外線センサは、赤外線センサをＮ×Ｎアレイ状に並べたセンサアレイを用いてもよい。
【００１９】
排紙センサ２３２は、紙が置いてある場合に倒れるようなセンサを用いても良いし、焦電センサや反射センサなどの赤外線センサを用いても良い。また、本実施例では、胴内フィニッシャー１０３に絞った説明をしているが、機外排紙などであっても良い。
なお、排紙センサ２３３は、実施例３、４の画像処理装置に備えられているものであり、実施例１、２の画像処理装置では、備えられていない。
【００２０】
図３は、実施例１における画像処理装置１００のハードウェア構成の一例を示すブロック図である。
図３（Ａ）において、２２６は情報処理装置（コントローラ部）であり、画像処理装置１００を制御する。情報処理装置２２６は、ＬＡＮコントローラ２１２を介してＬＡＮ２２４に接続され、ＦＡＸ２２５を介して電話回線２２３に接続される。以下、情報処理装置２２６の内部構成について説明する。
【００２１】
ＣＰＵ２０４は、情報処理装置２２６の装置全体を制御するソフトウェアプログラムを実行する。ＲＡＭ２０６は、ＣＰＵ２０４が装置を制御する際の一時的なデータの格納などに使用される。ＲＯＭ２０５は、ＣＰＵ２０４が実行するプログラム（装置の起動プログラム等）や各種設定値等が格納されている。ストレージ２０７は、ＨＤＤ(Hard Disk Drive)やＳＳＤ(Solid State Drive)であり、様々なデータ格納に使用される。
【００２２】
操作部２１３は、操作用液晶パネルや電源キー２１４を含むハードキーを備え、ユーザから入力される指示を受け付ける。操作部Ｉ／Ｆ２０９は、ＣＰＵ２０４から操作部２１３の制御を行うためのインタフェースである。
【００２３】
スキャナ２１５は、原稿台またはＡＤＦ(Auto Document Feeder)に設置された原稿の画像を読み取り、画像を生成する。スキャナＩ／Ｆ２１０は、ＣＰＵ２０４からスキャナ２１５の制御を行うためのインタフェースである。プリンタ２１６は、画像データに基づく画像を紙に印刷する。プリンタＩ／Ｆ２１１は、ＣＰＵ２０４からプリンタの制御を行うためのインタフェースである。
【００２４】
ＦＡＸ２２５は、モデム２１８、ＣＰＵ２１９、ＲＡＭ２２１、ＲＯＭ２２０、受信検知部２２２で構成される。画像処理装置１００は、ＦＡＸ２２５を介して、電話回線の外部装置とのデータ通信制御を行う。
【００２５】
モデム２１８は、ＦＡＸ２２５の送受信のための変調を行う。ＣＰＵ２１９は、ＦＡＸ Ｉ／Ｆ２０８を介して情報処理装置２２６と連携してＦＡＸ２２５の送受信の制御を行う。
【００２６】
ＲＡＭ２２１は、ＣＰＵ２１９が装置を制御する際に一時的なデータ格納などに使用する。ＲＯＭ２２０は、ＦＡＸ２２５装置の起動プログラムや各種設定値等が格納されている。ＦＡＸ２２５のＣＰＵ２１９、ＲＯＭ２２０、及びＲＡＭ２２１を設ける代わりに、これら２１９〜２２１の機能を、情報処理装置２２６が有する構成でもよい。
ＦＡＸ Ｉ／Ｆ２０８は、ＣＰＵ２０４からＦＡＸ２２５の制御を行うためのインタフェースである。
【００２７】
電源制御部２０３は、電源部２０２から必要な箇所に電源を供給する制御（電力制御）を行う。第一の人感センサ２３０は、図１（Ａ）で示す２３１に該当し、広範囲に人が近づいてきたことを検知するセンサである。第二の人感センサ２３１は、図１（Ａ）で示す２３０に該当し、第一の人感センサ２３０より狭い範囲で人が近づいてきたことを検知するセンサである。排紙センサ２３２は図１（Ａ）で示す２３２に該当し、紙が出力されて胴内フィニッシャーにある状態を検知するセンサである。
【００２８】
「通常電力モード」では、図３（Ａ）に示す全てのブロックに電源が供給されている。この際に、必要な機能にのみ給電するような形態を取っても良いが、ここでは明記しない。
【００２９】
「省電力モード１」では、図３（Ｂ）に示すように、一部のブロックに電源が給電されている。まず、電源２０１から電源部２０２に電源が供給される。電源部２０２から供給されるブロックは、電源制御部２０３、ＲＡＭ２０６、第一の人感センサ２３０、ＦＡＸ Ｉ／Ｆ２０８、受信検知部２２２、電源キー２１４、操作部ＩＦ２０９、ＬＡＮコントローラ２１２、ＬＡＮ Ｉ／Ｆ２１７であり、グレー表示されたブロック（ＣＰＵ２０４、ＲＯＭ２０５、ストレージ２０７、第２の人感センサ２３１、排紙センサ２３２、スキャナＩ／Ｆ２１０、プリンタＩ／Ｆ２１１、スキャナ２１５、プリンタ２１６、およびＦＡＸ２２５の一部（モデム２１８、ＣＰＵ２１９、ＲＯＭ２２０、ＲＡＭ２２２））へは給電されない。なお、ＲＡＭ２０６は、必要に応じて電源を供給し、全てに供給する必要はない。また、操作部２１３への給電は、電源キー２１４のみを記載したが、ユーザのタッチを認識する機能など他の電力状態への移行条件に応じて電源を給電しても良い。
【００３０】
ここで、「省電力モード２」や「通常電力モード」への移行条件について説明する。
まず、「省電力モード１」から「省電力モード２」への移行について説明する。「省電力モード１」において、第一の人感センサ２３０が、人が近づいてきたことを検知した場合には、電源制御部２０３へ省電力モード２への移行命令を送信し、図３（Ｃ）に示すようなブロックに給電を行う「省電力モード２」へ移行する。「省電力モード２」では、「省電力モード１」での給電ブロックに加え、第二の人感センサ２３１と排紙センサ２３２に給電を行う。
【００３１】
次に、「通常電力モード」への移行条件について説明する。「省電力モード１」又は「省電力モード２」において、受信検知部２２２がＦＡＸ受信を検知した場合には、電源制御部２０３へＦＡＸ Ｉ／Ｆを経由して「通常電力モード」への移行命令を送信し、「通常電力モード」へ移行する。また、同様に、ＬＡＮ Ｉ／Ｆ２１７より印刷ジョブなど「通常電力モード」への移行が必要なジョブを、ＬＡＮコントローラ２１２が受信した場合には、電源制御部２０３へ「通常電力モード」への移行命令を送信し、「通常電力モード」へ移行する。また、同様に、ユーザから電源キー２１４が押されたと検知した場合に、操作部Ｉ／Ｆ２０９を経由して電源制御部２０３へ「通常電力モード」への移行命令を送信し、「通常電力モード」へ移行する。操作部２１３は、電源キー２１４のみ記載しているが、ユーザのタッチを認識して割り込みを電源制御部２０３に送信する構成を取っても良い。
【００３２】
次に、「省電力モード２」と「省電力モード１」の差分について説明する。
「省電力モード２」において、第一の人感センサ２３０により人が近くにいることを検知している間は、「省電力モード２」を継続する。第一の人感センサ２３０が人を検知出来ず、人が離れたと判定された場合には、電源制御部２０３へ「省電力モード１」への移行命令を送信し、「省電力モード１」へ移行する。
【００３３】
また、「省電力モード２」において、第二の人感センサ２３１により人が近づいてきたことを検知した場合には、電源制御部２０３へ「通常電力モード」への移行命令を送信し、「通常電力モード」へ移行する。なお、第二の人感センサ２３１により人が近づいてきたことを検知した場合であっても、排紙センサ２３２により胴内フィニッシャー１０３に紙の存在を検知した場合には、第二の人感センサ２３１での人の検知に応じた通常電力モードへの移行を一時的に制限する。
【００３４】
以下、図４Ａ、図４Ｂを用いて、実施例１における、センサを用いた電力モード移行に関して、詳細に説明する。
図４Ａは、実施例１における画像処理装置１００の給電構成の一例を示すブロック図であり、図３と同一のものには同一の符号を付してある。
電源２０１より入力された電源は、ＳＷ３１０、ＳＷ３１２に接続される。ＳＷ３１０は、電源制御部２０３またはユーザが手動でオンすることが出来るシーソーＳＷやボタンＳＷなどにより、オンされる。
【００３５】
ＳＷ３１０がオンされると、電源２０１より供給される電力が、第一電源部３００に給電される。第一電源部３００は、省電力モード１、省電力モード２、及び通常電力モードで動作するブロックに電力供給する。
【００３６】
ＳＷ３１１がオンされた場合、第一電源部３００から供給される電力が、第二電源部３０１に給電される。第二電源部３０１は、省電力モード２、及び通常電力モードで動作するブロックに電力供給する。なお、第二電源部３０１は、電源２０１より直接給電されても良いし、第一電源部３００から給電されても良い。
【００３７】
ＳＷ３１２がオンされた場合、電源２０１より供給される電力が、第三電源部３０２に給電される。第三電源部３０２は、通常電力モードで動作するブロックに電力供給する。なお、第三電源部３０２は、電源２０１より直接給電されても良いし、第一電源部３００から給電されても良い。
【００３８】
ＳＷ３１１、ＳＷ３１２は、リレーやＦＥＴなど、給電状態を切り替えることの出来るデバイスであれば良い。
なお、ＳＷ３１０がオンされた場合には、自動で電源制御部２０３からＳＷ３１１へオン命令５１２、ＳＷ３１２へオン命令５１３を送信して通常電力モードへ移行しても良い。
【００３９】
省電力モード１から省電力モード２へ移行する条件は、第一の人感センサ２３０が人を検知した場合である。第一の人感センサ２３０が人を検知した時、電源制御部２０３へＳＷ３１１をオンにする依頼信号５１１を送信する。電源制御部２０３が依頼信号５１１を受信すると、ＳＷ３１１へオン命令５１２が送信され、第二電源部３０１へ給電される。
【００４０】
次に、通常電力モードへの移行条件について説明する。
ロジック３１３は、通常電力モードへ移行する必要のある依頼信号（５０１〜５０４、５１１）を一つでも受信した場合に、電源制御部２０３へ移行依頼信号５００を送信する。以下、依頼信号を夫々説明する。
【００４１】
ＬＡＮコントローラ２１２が印刷ジョブなど通常電力モードへ移行する必要のある命令を受信した場合にロジック３１３に依頼命令５０１を送信する。なお、ＬＡＮコントローラ２１２は、ＬＡＮ Ｉ／Ｆ２１７を介して命令を受信するが、図４ＡではＬＡＮ Ｉ／Ｆ２１７の記載を省略している。
【００４２】
また、受信検知部２２２がＦＡＸの受信を検知した場合に、ロジック３１３に依頼命令５０２を送信する。なお、依頼命令５０２は、ＦＡＸ Ｉ／Ｆ２０８を介してロジック３１３に送信されるが、図４ＡではＦＡＸ Ｉ／Ｆ２０８の記載を省略している。
【００４３】
また、電源キー２１４がユーザに押された場合に、ロジック３１３に依頼命令５０３を送信する。なお、依頼命令５０３は、操作部Ｉ／Ｆ２０９を介してロジック３１３に送信されるが、図４Ａでは操作部Ｉ／Ｆ２０９の記載を省略している。
【００４４】
また、第二電源部３０１で供給される排紙センサ２３２と第二の人感センサ２３１の検知状態により、通常電力モードへ移行すると判定された場合には、ロジック３１３に依頼命令５０４を送信する。詳細は後ほど図４Ｂを用いて説明する。
【００４５】
ロジック３１３より移行依頼信号５００を電源制御部２０３が受信した場合には、電源制御部２０３は、ＳＷ３１２へオン命令５１３を送信し、第三電源部３０２が給電される。第三電源部３０２は、通常電力モードで使用されるブロックに給電する。なお、省電力モード１の状態で移行依頼信号５００を受信した場合、電源制御部２０３は、さらにＳＷ３１１へのオン命令５１２も送信するようにしてもよい。電源２０１から給電される電源は、第一電源部３００、第二電源部３０１、第三電源部３０２の三種類に分けて供給される。
なお、図４Ａでは、スキャナＩ／Ｆ２１０、プリンタＩ／Ｆ２１１の記載を省略している。
【００４６】
図４Ｂは、実施例１における、排紙センサ２３２と第二の人感センサ２３１についての詳細なブロック図である。
排紙センサ２３２内にある検知部４００は、胴内フィニッシャー１０３内の紙の有無を示す信号５１８を状態判定部４０１へ出力する。同様に、第二の人感センサ２３１は、人の有無を示す信号５１５を状態判定部４０１へ出力する。
【００４７】
状態判定部４０１は、検知部４００の紙検知状態を判定し、省電力モード２において、検知部４００が紙を検知している場合には、第二の人感センサ２３１が人を検知した場合でも、通常電力モードへ移行を遅らせるように制御する。以下、具体的に説明する。
【００４８】
状態判定部４０１は、信号５１８がＬｏｗの場合（検知部４００が紙を検知していない場合）、第二の人感センサ２３１から入力される信号５１５を、信号５１９として、出力判定部４０３へ出力する。出力判定部４０３は、状態判定部４０１からの入力信号５１９がＨｉｇｈ（第二の人感センサ２３１が人を検知している）になると、依頼命令５０４をロジック３１３に送信する。これにより、電源制御部２０３からＳＷ３１２にオン命令５１３が送信され、第三電源部３０２が給電され、画像処理装置１００が通常電力モードへ移行することになる。
【００４９】
一方、信号５１８がＨｉｇｈの場合（検知部４００が紙を検知している場合）、状態判定部４０１は、第二の人感センサ２３１から入力される信号５１５を、信号５２０として、遅延回路４０２へ出力する。遅延回路４０２は、状態判定部４０１から入力される信号５２０を一定時間（例えば、人が第二の人感センサ２３１で検知されてから紙を取って第二の人感センサ２３１の検知範囲１１２（図２）から立ち去るのに十分な時間を想定した第１の時間）だけ遅延させて信号５２１として、出力判定部４０３へ出力する。出力判定部４０３は、遅延回路４０２からの入力信号５２１がＨｉｇｈ（第二の人感センサ２３１が人を検知している）になると、依頼命令５０４をロジック３１３に送信する。これにより、第二の人感センサ２３１が人を検知してから一定時間（第１の時間）遅れて、電源制御部２０３からＳＷ３１２にオン命令５１３が送信され、第三電源部３０２が給電され、画像処理装置１００が通常電力モードへ移行することになる。
【００５０】
なお、第三電源部３０２への給電を遅延させている間に（第１の時間が経過するまでの間に）、第二の人感センサ２３１からの信号５１５が人の検知状態（Ｈｉｇｈ）から非検知状態（Ｌｏｗ）へ変化した場合、状態判定部４０１は、遅延回路４０２からの遅延信号５２１を無効にする無効信号５２２をＨｉｇｈ状態にして出力判定部４０３へ送信する。出力判定部４０３は、無効信号５２２がＨｉｇｈ状態の場合、遅延信号５２１がＨｉｇｈ状態となっても、依頼命令５０４を出力しない。なお、状態判定部４０１は、一定時間（少なくとも第１の時間）、無効信号５２２をＨｉｇｈ状態に保持する。即ち、上述の遅延された信号による通常電力モードへの移行は行われない。なお、状態判定部４０１が無効信号５２２をＨｉｇｈ状態に保持している間でも、第一の人感センサ２３０が人を検知しなくなると、画像処理装置１００は、省電力モード１に移行する。
【００５１】
また、第三電源部３０２への給電を遅延させている間に（第１定時間が経過するまでの間に）、第二の人感センサ２３１からの信号５１５は検知状態（Ｈｉｇｈ）であるが、検知部４００からの信号５１８が検知状態（Ｈｉｇｈ）から非検知状態（Ｌｏｗ）へ変化した場合、状態判定部４０１は、無効信号５２２を出力判定部４０３へ送信する。状態判定部４０１は、一定時間（少なくとも第１の時間）、無効信号５２２をＨｉｇｈ状態に保持する。また、状態判定部４０１は、一定時間（例えば、紙を取った人が第二の人感センサ２３１の検知範囲１１２（図２）から立ち去るのに十分な時間を想定した第２の時間）、信号５１９、信号５２０の出力を行わない。即ち、一定時間（第２の時間）、省電力モードが維持される。
【００５２】
また、状態判定部４０１は、通常電力モードにおいて、信号５１８がＨｉｇｈの状態（検知部４００が紙を検知している状態）が一定時間（例えば、印刷ジョブを投入してから紙を取りに来るまでに十分な時間を想定した第３の時間）以上継続した場合、状態判定部４０１内のレジスタ４０１ａに排紙フラグとして「１」を記憶する。そして、省電力モードにおいて、状態判定部４０１は、排紙フラグが「１」の場合、信号５１８に関係なく、第二の人感センサ２３１から入力される信号５１５を、信号５１９として出力判定部４０３へ出力する。このように、胴内フィニッシャー１０３に紙が一定時間（第３の時間）以上放置されていた場合には、検知部４００による紙の検知状態に関係なく、第二の人感センサ２３１が人を検知した場合には、通常電力モードへ移行することになる。
なお、上述した状態判定部４０１、遅延回路４０２、出力判定部４０３は第二の人感センサ２３１内に持っても良い。
【００５３】
以下、図５のフローチャートを参照して、上述した構成により実現される画像処理装置１００のセンサ電源制御について説明する。
なお、図５のフローチャートでは、上述したＬＡＮコントローラ２１２のジョブ受信、受信検知部２２２のＦＡＸ受信検知、電源キー２１４の押下等の移行条件に応じた通常電力モードへの移行は省略するが、図５に示す処理の途中で、上記移行条件に応じた移行命令を電源制御部２０３が受信した場合には通常電力モードへ移行することは言うまでもない。
【００５４】
図５は、実施例１における画像処理装置１００のセンサ電源制御の一例を示すフローチャートである。
画像処理装置１００は、通常電力モードから省電力モードへ移行しない場合（Ｓ１１でＮｏの場合）、即ち、通常電力モードの場合、Ｓ１２〜Ｓ１５に示す処理を実行する。
Ｓ１２では、排紙センサ２３２の状態判定部４０１が、検知部４００からの入力信号５１８に基づいて、胴内フィニッシャー１０３上に排紙された用紙が有るか無いかを判定する。
【００５５】
そして、用紙が有ると判定した場合（Ｓ１２でＹｅｓの場合）、状態判定部４０１は、Ｓ１３に処理を進める。
Ｓ１３では、状態判定部４０１は、用紙有りの状態が一定時間（第３の時間）経過したかを判定する。
【００５６】
そして、用紙有りの状態が一定時間（第３の時間）経過したと判定した場合（Ｓ１３でＹｅｓの場合）、状態判定部４０１は、状態判定部４０１内のレジスタ４０１ａに排紙フラグとして「１」を記憶する（Ｓ１４）。これは、印刷出力した用紙が置いたままになっているかを判定している。一定時間（第３の時間）経過している場合には、置いたままになっているケースが考えられるため、次に近づいてきたユーザが画像処理装置１００を使用する可能性が高い。ここで指定している一定時間とは、印刷ジョブを投入してから紙を取りに来るまでの時間を想定して、設定しておく。なお、省電力モードへ移行しない場合には、排紙フラグは使用しない。
【００５７】
一方、用紙有りの状態が一定時間（第３の時間）経過していないと判定した場合（Ｓ１３でＮｏの場合）、状態判定部４０１は、状態判定部４０１内のレジスタ４０１ａに排紙フラグとして「０」を記憶する（Ｓ１５）。
【００５８】
また、上記Ｓ１２において、胴内フィニッシャー１０３上に排紙された用紙が無いと判定した場合（Ｓ１２でＮｏの場合）、状態判定部４０１は、状態判定部４０１内のレジスタに排紙フラグとして「０」を記憶する（Ｓ１５）。
【００５９】
そして、上記Ｓ１４又はＳ１５の後に、省電力モードへ移行しない場合（Ｓ１１でＮｏの場合）、状態判定部４０１は、再度、Ｓ１２〜Ｓ１５に示す処理を実行する。
また、通常電力モードから省電力モードへ移行した場合（Ｓ１１でＹｅｓの場合）、即ち、省電力モードの場合、画像処理装置１００は、Ｓ１６以降に示す処理を実行する。
【００６０】
第一の人感センサ２３０が人を検知していない場合（Ｓ１６でＮｏの場合）、画像処理装置１００は、第二電源部３０１の電源の供給をＯＦＦにし（Ｓ１７）、Ｓ１６に処理を戻す。上記Ｓ１７では、電源制御部２０３が、電源部２０２へ省電力モード１への移行命令を発行し（ＳＷ３１１へオフ命令を出力し）、第二電源部３０１の電源の供給をＯＦＦにする。第二電源部３０１への給電が停止されると、第二の人感センサ２３１、排紙センサ２３２への給電が停止される。
【００６１】
一方、第一の人感センサ２３０が人を検知した場合（Ｓ１６でＹｅｓの場合）、画像処理装置１００は、第二電源部３０１への給電をＯＮする（Ｓ１８）。上記Ｓ１８では、電源制御部２０３が、電源部２０２へ省電力モード２への移行命令を発行し（ＳＷ３１１へオン命令を出力し）、第二電源部３０１への給電をＯＮする。第二電源部３０１への給電が開始されると、第二の人感センサ２３１、排紙センサ２３２への給電が開始され、起動される。
【００６２】
そして、第二の人感センサ２３１が人を検知していない場合（Ｓ１９でＮｏの場合）、画像処理装置１００は、上述の第一の人感センサ２３０の検知結果に基づく電源制御を実行する（Ｓ１６〜Ｓ１８）。
【００６３】
一方、第二の人感センサ２３１が人を検知している場合（Ｓ１９でＹｅｓの場合）、画像処理装置１００は、Ｓ２０以降に示す処理を実行する。
排紙センサ２３２は、上述した排紙フラグが「１」であると判定した場合（Ｓ２０でＹｅｓの場合）、依頼命令５０４を出力し、通常電力モードに移行させる（Ｓ２３）。なお、排紙フラグが「１」の場合は、紙が一定時間（第３の時間）以上置いたままになっている場合であり、この場合、排紙センサ２３２は、検知したユーザは画像処理装置１００を利用する可能性が高いと判断し、通常電力モードに移行させている。詳細には、状態判定部４０１が、第二の人感センサ２３１からの入力信号５１５を出力信号５１９として出力判定部４０３に出力し、出力判定部４０３が依頼命令５０４を出力する。これにより、電源制御部２０３が、電源部２０２へ通常電力モードへの移行命令を発行し（ＳＷ３１２へオン命令を出力し）、第三電源部３０２への給電をＯＮする。これにより、通常電力モードへ移行する。
【００６４】
一方、排紙フラグが「１」でないと判定した場合（Ｓ２０でＮｏの場合）、排紙センサ２３２は、検知部４００が胴内フィニッシャー１０３上の用紙を検知した（排紙有り）か否（排紙無し）かに基づいて制御を行う。
【００６５】
排紙センサ２３２は、「排紙無し」と判定した場合（Ｓ２１でＮｏの場合）、依頼命令５０４を出力し、通常電力モードに移行させる（Ｓ２３）。詳細には、状態判定部４０１が、第二の人感センサ２３１からの入力信号５１５を出力信号５１９として出力判定部４０３に出力し、出力判定部４０３が依頼命令５０４を出力する。これにより、電源制御部２０３が第三電源部３０２への給電をＯＮにし、通常電力モードへ移行する。
【００６６】
一方、「排紙有り」と判定した場合（Ｓ２１でＹｅｓの場合）、排紙センサ２３２は、通常電力モードへの移行を遅延させるための制御を行う。詳細には、状態判定部４０１が、第二の人感センサ２３１からの入力信号５１５を出力信号５２０として遅延回路４０２に出力する。さらに、状態判定部４０１は、「排紙有り」の状態で第二の人感センサ２３１が人を継続して検知している状態が一定時間（遅延回路４０２の遅延時間（第１の時間））経過したかを判定する（Ｓ２２）。
【００６７】
そして、まだ一定時間経過していないと判定した場合（Ｓ２２でＮｏの場合）、排紙センサ２３２（詳細には状態判定部４０１）は、Ｓ２４に処理を進める。そして、第二の人感センサ２３１が継続して人を検知しており、且つ、検知部４００が胴内フィニッシャー１０３上の用紙を検知している（排紙有り）と判定した場合（Ｓ２４でＹｅｓ且つＳ２５でＮｏの場合）、排紙センサ２３２（詳細には状態判定部４０１）は、Ｓ２２に処理を戻し、一定時間経過の判定を続ける。
【００６８】
そして、排紙ありの状態で第二の人感センサ２３１が人を継続して検知している状態が一定時間経過した場合（Ｓ２２でＹｅｓの場合）、排紙センサ２３２は、依頼命令５０４を出力し、通常電力モードに移行させる（Ｓ２３）。詳細には、遅延回路４０２から、Ｈｉｇｈ状態の出力信号５２１が出力判定部４０３に出力され、出力判定部４０３が依頼命令５０４を出力する。これにより、通常電力モードへ移行する。
【００６９】
また、一定時間が経過する前に、第二の人感センサ２３１が継続して人を検知しなくなった場合（Ｓ２４でＮｏの場合）、画像処理装置１００は、Ｓ１６に処理を戻す。詳細には、状態判定部４０１は、信号５１５がＨｉｇｈからＬｏｗに変化した場合、少なくとも第１の時間、無効信号５２２（Ｈｉｇｈ状態）を出力判定部４０３へ送信する。これにより、上述した第二の人感センサ２３１の人検知による、通常電力モードへの復帰は行われなくなる。そして、画像処理装置１００全体では、Ｓ１６以降に示す処理を実行することとなる。
【００７０】
また、一定時間が経過する前に、第二の人感センサ２３１が継続検知しているが、「排紙無し」となったと判定した場合（Ｓ２４でＹｅｓ且つＳ２５でＹｅｓの場合）、画像処理装置１００は、近づいてきた人が印刷物を取りに来たと判断し、一定時間（ここでは、第２の時間）、省電力モードを継続させ（Ｓ２６）、Ｓ１６に処理を戻す。詳細には、状態判定部４０１が、少なくとも第１の時間、無効信号５２２（Ｈｉｇｈ）を遅延回路４０２へ送信するとともに、一定時間（第２の時間）、信号５１９、５２０の出力を行わないように制御する。なお、図示しないが、状態判定部４０１が無効信号５２２をＨｉｇｈ状態に保持している間でも、第一の人感センサ２３０が人を検知しなくなると、画像処理装置１００は、省電力モード１に移行する。これにより、一定時間（第２の時間）、省電力モード１又は２が継続される。そして、画像処理装置１００全体では、Ｓ１６以降に示す処理を実行することとなる。
【００７１】
図６は、実施例１における画像処理装置１００の電源状態とセンサの検知状態の一例を示すシーケンス図である。
図６（ａ）は、排紙センサ２３２が紙を検知していない場合のシーケンス図である。
画像処理装置１００では、第一の人感センサ２３０が人を検知することで、第二電源部３０１に給電を行う。次に、画像処理装置１００では、排紙センサ２３２の検知がない状態で、第二の人感センサ２３１が検知することで、第三電源部３０２に給電を行い、通常電力モードへ移行する。
【００７２】
図６（ｂ）は、排紙センサ２３２が紙を検知しているが、ユーザが画像処理装置１００を使用するために近づいてきたと判定した場合のシーケンス図である。
画像処理装置１００では、第一の人感センサ２３０が人を検知することで、第二電源部３０１に給電を行う。次に、画像処理装置１００では、第二の人感センサ２３１が人を検知したが、排紙センサ２３２が紙を検知しているため、一時的に（第１の時間だけ）第三電源部３０２への給電を遅延させる。そして、遅延が終了しても、排紙センサ２３２の反応に変化はなく、第二の人感センサ２３１の人の検知が継続されているため、画像処理装置１００では、第三電源部３０２に給電を行い、通常電力モードへ移行する。
【００７３】
図６（ｃ）は、排紙センサ２３２が紙を検知し、ユーザが画像処理装置１００に出力した紙を取りに来たと判定した場合のシーケンス図である。
画像処理装置１００では、第一の人感センサ２３０が人を検知することで、第二電源部３０１に給電を行う。次に、画像処理装置１００では、第二の人感センサ２３１が人を検知したが、排紙センサ２３２が紙を検知しているため、一時的に（第１の時間だけ）第三電源部３０２への給電を遅延させる。そして、第三電源部３０２の給電が開始するまでに（遅延の終了前に）、排紙センサ２３２により「紙無し」と判定され、第二の人感センサ２３１が人を検知しない状態へ移行したため、画像処理装置１００では、省電力モードを継続させる。
【００７４】
図６（ｄ）は、排紙センサ２３２が紙を検知し、紙が複数ユーザにより出力されたものであり、そのうちの一人のユーザが画像処理装置１００に出力した紙を取りに来たと判定した場合のシーケンス図である。
画像処理装置１００では、第一の人感センサ２３０が人を検知することにより、第二電源部３０１に給電を行う。次に、画像処理装置１００では、第二の人感センサ２３１が人を検知したが、排紙センサ２３２が紙を検知しているため、一時的に（第１の時間だけ）第三電源部３０２への給電を遅延させる。そして、遅延させている間に、第二の人感センサ２３１が人を検知しない状態へ移行したため、画像処理装置１００では、省電力モードを継続させる。
【００７５】
図６（ｅ）は、排紙センサ２３２が紙を検知し、ユーザが画像処理装置１００に出力した紙を取りに来て且つ、画像処理装置を使用すると判定した場合のシーケンス図である。
画像処理装置１００では、第一の人感センサ２３０が人を検知することにより、第二電源部３０１に給電を行う。次に、画像処理装置１００では、第二の人感センサ２３１が人を検知したが、排紙センサ２３２が紙を検知しているため、一時的に（第１の時間だけ）第三電源部３０２への給電を遅延させる。そして、第三電源部３０２の給電が開始するまでに（遅延の終了前に）、排紙センサ２３２により「紙無し」と判定されたが、「紙無し」と判定されてから一定時間（第２の時間）以上、第二の人感センサ２３１が人を検知した状態が継続したため、画像処理装置１００では、第三電源部３０２に給電を行い、通常電力モードへ移行する。
【００７６】
図６（ｆ）は、排紙センサ２３２が紙を検知した状態で一定時間継続し、且つ省電力モードへ移行したため、ユーザが画像処理装置１００に近づいてきた場合に、使用すると判定した場合のシーケンス図である。
通常電力モードにおいて、一定時間（第３の時間）以上、排紙センサ２３２が検知した状態の場合、画像処理装置１００は、排紙フラグを「１」にする。そして、画像処理装置１００は、省電力モードへの移行条件を満たした場合、画像処理装置１００は、省電力モード１へ移行する。その後、画像処理装置１００は、第一の人感センサ２３０が人を検知することにより、第二電源部３０１に供給を行い、省電力モード２へ移行する。そして、画像処理装置１００は、排紙フラグが「１」であるため、排紙センサ２３２の検知がある状態でも、第二の人感センサ２３１が検知することにより、第三電源部３０２に供給を行う。
【００７７】
以上のように、人感センサ二つと排紙センサを用いることで、画像処理装置１００に近づいてきたユーザの用途を判定し、例えば胴内排紙部に排紙された用紙を取りに来た人を判定し、不要な省電力モードからの復帰を防止することが可能である。そのため、ユーザの利便性の向上を図りつつ、不要な電力消費の低減と寿命のある装置部品の延命をすることが可能となる。
【００７８】
なお、本実施例の画像処理装置１００の構成は、図４Ａ、図４Ｂに示したような構成に限定されるものではなく、図５、図６に示したような電源制御を実現できる構成であればよい。
【実施例２】
【００７９】
以下、実施例２について、実施例１との差異を説明する。
実施例１では、二つの人感センサと排紙センサを用いて、不要な省電力モードからの復帰を防ぐために、排紙センサ２３２（又は第二の人感センサ２３１）からの通常電力モードへの復帰命令出力を制限する構成を示した。
実施例２では、復帰命令出力を制限するのではなく、第二の人感センサ２３１への給電を遅らせることで、不要な省電力モードからの復帰を防ぐものである。
以下、実施例１との差異を説明する。
【００８０】
図７Ａは、実施例２における画像処理装置１００の給電構成の一例を示すブロック図であり、図４Ａと同一のものには同一の符号を付してある。
ＳＷ４２０は、第二の人感センサ２３１への給電をＯＮ／ＯＦＦするためのスイッチである。ＳＷ３１１がオフ状態では、第二の人感センサ２３１は給電されない。ＳＷ３１１がオンされると、第二電源部３０１から供給される電力が、第二の人感センサ２３１に給電される。
【００８１】
実施例２では、排紙センサ２３２の判定結果に基づいて、第二の人感センサ２３１への給電を制御し、ＳＷ４２０のＯＮ／ＯＦＦによって給電状態を切り分ける。このＳＷ４２０は、リレーやＦＥＴなど、給電状態を切り替えることの出来るデバイスであれば良い。
【００８２】
第二の人感センサ２３１への給電を制御する排紙センサ２３２は、第二電源部３０１で動作する。第二の人感センサ２３１への給電は、第二電源部３０１から第二の人感センサ２３１への給電をＳＷ４２０で切り替えることにより制御する。
【００８３】
省電力モード２において、排紙センサ２３２が「紙無し」と判定した場合には、排紙センサ２３２は、ＳＷ４２０をオンにする信号５３１をＳＷ４２０へ送信する。排紙センサ２３２が「紙有り」と判定した場合には、ＳＷ４２０をオンするオン信号５３１の出力を一時的に遅延させる。なお、遅延の条件については、図７Ｂを用いて後ほど詳細に説明する。
【００８４】
ＳＷ４２０を通じて第二の人感センサ２３１が給電され、第二の人感センサ２３１が人を検知した場合には、第二の人感センサ２３１からロジック３１３へ依頼命令５３０を送信する。ロジック３１３は、通常電力モードへ移行する必要のある依頼信号（５０１〜５０４、５１１、５３０）を一つでも受信した場合に、電源制御部２０３へ移行依頼信号５００を送信する。これにより、画像処理装置１００は通常電力モードへ移行する。以下、実施例２の排紙センサ２３２と第二の人感センサ２３１についての詳細に説明する。
【００８５】
図７Ｂは、実施例２における、排紙センサ２３２と第二の人感センサ２３１についての詳細なブロック図である。なお、図７Ａには示していないが、実施例２では、図７Ｂに示すように、第一の人感センサ２３０から出力信号５１１が、排紙センサ２３２に入力される構成となっている。
【００８６】
排紙センサ２３２内にある検知部４１０は、胴内フィニッシャー１０３上の紙の有無を示す信号５１８を状態判定部４１１へ出力する。状態判定部４１１は、検知部４１０の検知状態に応じて、第二の人感センサ２３１の給電を制御する。以下、より具体的に説明する。
【００８７】
状態判定部４０１は、信号５１８がＬｏｗの場合（検知部４１０が紙を検知していない場合）、第一の人感センサ２３０から入力される信号５１１を、信号５１９として、出力判定部４１３へ出力する。出力判定部４１３は、状態判定部４０１からの入力信号５１９がＨｉｇｈになると、オン信号５３１をＳＷ４２０に送信する。
【００８８】
これにより、省電力モード２に移行した際に検知部４１０が紙を検知していない場合には、省電力モード２移行の直後に、第二の人感センサ２３１への給電が開始される。そして、第二の人感センサ２３１が人を検知すると、画像処理装置１００が通常電力モードへ移行することになる。
【００８９】
一方、信号５１８がＨｉｇｈの場合（検知部４１０が紙を検知している場合）、状態判定部４１１は、第一の人感センサ２３０から入力される信号５１１を、信号５２０として、遅延回路４１２へ出力する。遅延回路４１２は、状態判定部４１１から入力される信号５２０を一定時間（例えば、人が第一の人感センサ２３０で検知されてから胴内フィニッシャー１０３から紙を取って第二の人感センサ２３１の検知範囲１１２（図２）から立ち去るのに十分な時間を想定した第４の時間）だけ遅延させて信号５２１として、出力判定部４１３へ出力する。出力判定部４１３は、遅延回路４１２からの入力信号５２１がＨｉｇｈになると、オン信号５３１をＳＷ４２０に送信する。
【００９０】
これにより、省電力モード２に移行した際に検知部４１０が紙を検知している場合には、省電力モード２移行から一定時間（第４の時間）遅れて、第二の人感センサ２３１への給電が開始されることになる。
【００９１】
なお、第二の人感センサ２３１への給電を遅延させている間に、検知部４１０からの信号５１８が検知状態（Ｈｉｇｈ）から非検知状態（Ｌｏｗ）へ変化した場合、状態判定部４１１は、無効信号５２２をＨｉｇｈにして出力判定部４１３へ出力する。状態判定部４１１は、一定時間（少なくとも、第４の時間）、無効信号５２２をＨｉｇｈ状態に保持する。出力判定部４１３は、無効信号５２２がＨｉｇｈ状態の場合、遅延信号５２１がＨｉｇｈ状態になっても、依頼命令５３０を出力しない。また、状態判定部４１１は、一定時間（例えば、第２の時間）、信号５１９、信号５２０の出力を行わない。即ち、少なくとも第２の時間は、第二の人感センサ２３１への給電は開始されない。なお、状態判定部４１１が無効信号５２２をＨｉｇｈ状態に保持している間でも、第一の人感センサ２３０が人を検知しなくなると、画像処理装置１００は、省電力モード１に移行する。
【００９２】
また、状態判定部４１１は、通常電力モードにおいて、信号５１８がＨｉｇｈの状態（検知部４１０が紙を検知している状態）が一定時間（第３の時間）以上継続した場合、状態判定部４１１内のレジスタ４１１ａに排紙フラグとして「１」を記憶する。そして、省電力モードにおいて、状態判定部４１１は、排紙フラグが「１」の場合、信号５１８に関係なく、信号５１９をＨｉｇｈ状態で出力する。このように、胴内フィニッシャー１０３に紙が一定時間（第３の時間）以上放置されていた場合には、検知部４１０による紙の検知状態に関係なく、第二の人感センサ２３１に給電することになる。
【００９３】
以上のように出力判定部４１３は、状態判定部４１１の結果と遅延回路４１２の結果を元に、第二の人感センサ２３１への給電状態を切り替えるＳＷ４２０へ信号出力する。第二の人感センサ２３１は、ＳＷ４２０を経由した第二電源部３０１から給電されて動作する。
【００９４】
図８は、実施例２における画像処理装置１００のセンサ電源制御の一例を示すフローチャートである。以下、実施例１（図５）との差異のみを記載する。
画像処理装置１００は、通常電力モードから省電力モードへ移行しない場合（Ｓ１１でＮｏの場合）、即ち、通常電力モードの場合、Ｓ１２〜Ｓ１５に示す処理を実行する。なお、Ｓ１２〜Ｓ１５は、図５と同等の処理であるので説明は省略する。
【００９５】
また、通常電力モードから省電力モードへ移行した場合（Ｓ１１でＹｅｓの場合）、即ち、省電力モードの場合、画像処理装置１００は、Ｓ１６以降に示す処理を実行する。なお、Ｓ１６〜Ｓ１８は、図５と同等の処理であるので説明は省略する。
【００９６】
なお、実施例２では、第二電源部３０１への給電が開始されると、排紙センサ２３２への給電が開始され、起動される。
排紙センサ２３２は、上述した排紙フラグが「１」であると判定した場合（Ｓ２０でＹｅｓの場合）、オン信号５３１を出力し、第二の人感センサ２３１への給電を開始させる（Ｓ３０）。詳細には、状態判定部４１１が、出力信号５１９をＨｉｇｈ状態で出力判定部４０３に出力し、出力判定部４０３がオン信号５３１を出力する。これにより、ＳＷ４２０がＯＮとなり、第二の人感センサ２３１への給電を開始される。
【００９７】
一方、排紙フラグが「１」でないと判定した場合（Ｓ２０でＮｏの場合）、排紙センサ２３２は、検知部４１０が胴内フィニッシャー１０３上の用紙を検知した（排紙有り）か否（排紙無し）かに基づいて制御を行う。
【００９８】
排紙センサ２３２は、「排紙有り」と判定した場合（Ｓ２１でＹｅｓ）、第二の人感センサ２３１への給電を遅延させるための制御を行う。詳細には、状態判定部４１１が、出力信号５２０をＨｉｇｈ状態として遅延回路４１２に出力する。さらに、状態判定部４１１は、「排紙有り」の状態が一定時間（遅延回路４１２の遅延時間（第４の時間））経過したかを判定する（Ｓ２２）。
【００９９】
そして、まだ「排紙有り」の状態が一定時間経過していないと判定した場合（Ｓ２２でＮｏの場合）、排紙センサ２３２（詳細には状態判定部４０１）は、Ｓ２２に処理を戻し、一定時間経過の判定を続ける。なお、画像処理装置１００全体では、Ｓ１６に処理を戻す。
【０１００】
また、「排紙無し」（Ｓ２１でＮｏ）、且つ排紙状態が変化した（Ｓ３１でＹｅｓ）と判定した場合、即ち、上記一定時間の経過中に「排紙有り」から「排紙無し」へ状態が変化したと判定した場合、画像処理装置１００は、近づいてきた人が印刷物を取りに来たと判断し、上記一定時間（第４の時間）の経過の判定を中止し、一定時間（第２の時間）、省電力モードを継続させ（Ｓ３２）、Ｓ１６に処理を戻す。詳細には、状態判定部４１１が、一定時間（第４の時間）、無効信号５２２（Ｈｉｇｈ状態）を出力判定部４１３へ送信するとともに、一定時間（第２の時間）、信号５１９、５２０の出力を行わないように制御する。なお、図示しないが、状態判定部４１１が無効信号５２２をＨｉｇｈ状態に保持している間でも、第一の人感センサ２３０が人を検知しなくなると、画像処理装置１００は、省電力モード１に移行する。これにより、一定時間（第２の時間）、省電力モード１又は２が継続される。そして、画像処理装置１００全体では、Ｓ１６以降に示す処理を実行することとなる。
【０１０１】
また、「排紙無し」（Ｓ２１でＮｏ）、且つ排紙状態変化でない（Ｓ３１でＮｏ）と判定した場合、例えば、省電力モード２に移行した直後、又は、上記Ｓ３２の省電力モード継続処理が終わった直後に「排紙無し」と判定した場合、オン信号５３１を出力し、第二の人感センサ２３１への給電を開始させる（Ｓ３０）。
【０１０２】
そして、給電開始された第二の人感センサ２３１が人を検知していない場合（Ｓ１９でＮｏの場合）、画像処理装置１００は、Ｓ１６に処理を戻す。
一方、第二の人感センサ２３１が、人を検知した場合（Ｓ１９でＹｅｓの場合）、第二の人感センサ２３１から依頼命令５３０をロジック３１３へ送信し、通常電力モードに移行させる（Ｓ２３）。
【０１０３】
図９は、実施例２における画像処理装置１００の電源状態とセンサの検知状態の一例を示すシーケンス図である。
図９（ａ）は、排紙センサ２３２が紙を検知していない場合のシーケンス図である。
画像処理装置１００は、第一の人感センサ２３０が人を検知することで、第二電源部３０１に給電を行う。次に、画像処理装置１００は、排紙センサ２３２の検知がない状態であるため、第二の人感センサ２３１に給電を行う。さらに、画像処理装置１００は、第二の人感センサ２３１が人を検知することで、第三電源部３０２に給電を行う。
【０１０４】
図９（ｂ）は、排紙センサ２３２が紙を検知しているが、ユーザが画像処理装置１００を使用するために近づいてきたと判定した場合のシーケンス図である。
画像処理装置１００は、第一の人感センサ２３０が人を検知することで、第二電源部３０１に給電を行う。次に、画像処理装置１００は、排紙センサ２３２が紙を検知しているため、一時的に（第４の時間だけ）第二の人感センサ２３１への給電を遅延させる。さらに、画像処理装置１００は、排紙センサ２３２の反応に変化はなく、第一の人感センサ２３０が検知を継続しているため、第二の人感センサ２３１に給電を行う。さらに、画像処理装置１００は、第二の人感センサ２３１が検知しているため、第三電源部３０２に給電を行い、通常電力モードへ移行する。
【０１０５】
図９（ｃ）は排紙センサ２３２が紙を検知し、ユーザが画像処理装置１００に出力した紙を取りに来たと判定した場合のシーケンス図である。
画像処理装置１００は、第一の人感センサ２３０が人を検知することで、第二電源部３０１に給電を行う。次に、画像処理装置１００は、排紙センサ２３２が紙を検知しているため、一時的に（第４の時間だけ）第二の人感センサ２３１への給電を遅延させる。そして、画像処理装置１００は、第三電源部３０２の給電が開始するまでに排紙センサ２３２が「紙無し」と判定されたため、一定時間（第２の時間）、第二の人感センサ２３１への給電は行わない。そして遅延させている間に、第一の人感センサ２３０が人を検知しない状態へ移行したため、画像処理装置１００は、省電力モード１へ移行する。
【０１０６】
図９（ｄ）は、排紙センサ２３２が紙を検知し、紙が複数ユーザにより出力されたものであり、そのうちの一人のユーザが画像処理装置１００に出力した紙を取りに来たと判定した場合のシーケンス図である。
画像処理装置１００は、第一の人感センサ２３０が人を検知したことで、第二電源部３０１に給電を行う。次に、画像処理装置１００は、排紙センサ２３２が紙を検知しているため、一時的に（第４の時間だけ）第二の人感センサ２３１への給電を遅延させる。さらに、画像処理装置１００は、遅延させている間に、第一の人感センサ２３０が人を検知しない状態へ移行したため、省電力モードへ移行する。
【０１０７】
図９（ｅ）は、排紙センサ２３２が紙を検知し、ユーザが画像処理装置１００に出力した紙を取りに来て且つ、画像処理装置１００を使用すると判定した場合のシーケンス図である。
画像処理装置１００は、第一の人感センサ２３０が人を検知したことで、第二電源部３０１に給電を行う。次に、画像処理装置１００は、排紙センサ２３２が紙を検知しているため、一定時間（第４の時間だけ）、人感センサ２３１への給電を遅延させる。さらに、画像処理装置１００は、第三電源部３０２の給電が開始するまでに排紙センサ２３２が「紙無し」と判定されたが、その後、一定時間（第２の時間）以上第二の人感センサ２３１が人を検知した状態が継続したため、第二の人感センサ２３１に給電を行う。そして、画像処理装置１００は、第二の人感センサ２３１が人を検知しているので、第三電源部３０２に給電を行い、通常電力モードへ移行する。
【０１０８】
図９（ｆ）は、排紙センサ２３２が紙を検知した状態で一定時間継続し、且つ省電力モードへ移行したため、ユーザが画像処理装置１００に近づいてきた場合に、使用すると判定した場合のシーケンス図である。
通常電力モードにおいて、一定時間（第３の時間）以上、排紙センサ２３２が検知した状態の場合、画像処理装置１００は、排紙フラグを「１」にする。そして、画像処理装置１００は、省電力モードへの移行条件を満たした場合、画像処理装置１００は、省電力モード１へ移行する。その後、画像処理装置１００は、第一の人感センサ２３０が人を検知することで、第二電源部３０１に給電を行い、省電力モード２へ移行する。
そして、画像処理装置１００は、排紙センサ２３２の検知がある状態でも第二の人感センサ２３１に給電を行う。そして、画像処理装置１００は、排紙フラグが「１」であるため、第二の人感センサ２３１が検知することで、第三電源部３０２に給電を行い、通常電力モードへ移行する。
【０１０９】
以上のように、二つの人感センサと排紙センサを用いることで、画像処理装置１００に近づいてきたユーザの用途を判定し、例えば胴内排紙部に排紙された用紙を取りに来た人を判定し、第二の人感センサ２３１への給電を遅延させることにより、不要な省電力モードからの復帰を防止することが可能である。そのため、ユーザの利便性の向上を図りつつ、不要な電力消費の低減と寿命のある装置部品の延命をすることが可能となる。
【０１１０】
なお、本実施例の画像処理装置１００の構成は、図７Ａ、図７Ｂに示したような構成に限定されるものではなく、図８、図９に示したような電源制御を実現できる構成であればよい。
【実施例３】
【０１１１】
実施例３については、実施例１との差異を説明する。
実施例１では、二つの人感センサと排紙センサを用いて、不要な省電力モードからの復帰を防ぐために、排紙センサ２３２（又は第二の人感センサ２３１）からの通常電力モードへの復帰命令出力を制限する構成を示した。
実施例３では、復帰命令出力を制限するのではなく、排紙センサを二つ使用することで、第一の排紙センサ２３２での検知状況により復帰を遅延させている間に、第二の排紙センサ２３３の検知状況で不要な省電力モードからの復帰を制限するものである。このような構成を取ることで、より正確に画像処理装置１００へ近づいてきた人の用途を判定することを可能とし、利便性を確保することが可能となる。
以下、実施例１との差異を説明する。
【０１１２】
図１０は、実施例３における画像処理装置１００のハードウェア構成の一例を示すブロック図である。実施例１，２との差分は、第二の排紙センサ２３３を構成に含む点である。
【０１１３】
「通常電力モード」では、図１０（Ａ）に示す全てのブロックに電源が供給されている。「省電力モード１」では、図１０（Ｂ）でグレー表示されたブロックへは給電されない。「省電力モード２」では、図１０（Ｃ）でグレー表示されたブロックへは給電されない。
第二の排紙センサ２３３は、通常電力モードと省電力モード２で給電される。
【０１１４】
以下、図１１Ａ、図１１Ｂを用いて、実施例３における、センサを用いた電力モード移行に関して、詳細に説明する。
図１１Ａは、実施例３における画像処理装置１００の給電構成の一例を示すブロック図であり、図１０と同一のものには同一の符号を付してある。
【０１１５】
実施例３では、第一の排紙センサ２３２、第二の排紙センサ２３３、及び第二の人感センサ２３１の判定結果によって給電状態を切り替える。
第二の人感センサ２３１、第一の排紙センサ２３２、及び第二の排紙センサ２３３は、第二電源部３０１から給電される。
【０１１６】
第一の排紙センサ２３２は、第一の排紙センサ２３２での検知結果が「紙無し」の場合には、第二の人感センサ２３１で人が検知されている場合、ＳＷ３１２をオンにする依頼信号５４０をロジック３１３へ送信する。第一の排紙センサ２３２は、第一の排紙センサ２３２での検知結果が「紙有り」の場合には、ＳＷ３１１をオンする依頼信号５４０を出力するのを遅延させる。
【０１１７】
依頼信号５４０を出力するのを遅延させている間に、第二の排紙センサ２３３が紙を取る手を検知した場合には、第一の排紙センサ２３２は、遅延させている依頼信号５４０の出力を無効にする。なお、ＳＷ３１３をオンする依頼信号５４０を遅延または無効にする条件については、図１１Ｂを用いて後ほど詳細に説明する。
【０１１８】
第二の排紙センサ２３３の検知結果は、信号５４１を用いて、第一の排紙センサ２３２へ送信される。第二の人感センサ２３１の検知結果は、信号５４２を用いて、第一の排紙センサ２３２へ送信される。
【０１１９】
図１１Ｂは、実施例３における、排紙センサ２３２と第二の人感センサ２３１、第二の排紙センサ２３３についての詳細なブロック図である。
第一の排紙センサ２３２内にある検知部４３０は、胴内フィニッシャー１０３上の紙の有無を示す信号５１８を状態判定部４３１へ出力する。
状態判定部４３１は、検知部４３０、第二の排紙センサ２３３、及び第二の人感センサ２３１からの信号を元に、遅延回路４１２または出力判定部４１３へ信号出力する。以下、具体的に説明する。
【０１２０】
状態判定部４３１は、信号５１８がＬｏｗの場合（検知部４３０が紙を検知していない場合）、第二の人感センサ２３１から入力される信号５４２を、信号５１９として、出力判定部４０３へ出力する。出力判定部４３３は、状態判定部４３１からの入力信号５１９がＨｉｇｈ（第二の人感センサ２３１が人を検知している）になると、依頼命令５４０をロジック３１３に送信する。これにより、電源制御部２０３からＳＷ３１２にオン命令５１３が送信され、第三電源部３０２が給電され、画像処理装置１００が通常電力モードへ移行することになる。
【０１２１】
一方、信号５１８がＨｉｇｈの場合（検知部４３０が紙を検知している場合）、状態判定部４３１は、第二の人感センサ２３１から入力される信号５４２を、信号５２０として、遅延回路４３２へ出力する。遅延回路４３２は、状態判定部４３１から入力される信号５２０を一定時間（例えば、人が第二の人感センサ２３１で検知されてから第二の排紙センサ２３３の検知範囲１１０（図２）に手を入れるのに十分な時間を想定した第５の時間）だけ遅延させて信号５２１として、出力判定部４３３へ出力する。出力判定部４３３は、遅延回路４３２からの入力信号５２１がＨｉｇｈ（第二の人感センサ２３１が人を検知している）になると、依頼命令５４０をロジック３１３に送信する。これにより、第二の人感センサ２３１が人を検知してから一定時間（第５の時間）遅れて、電源制御部２０３からＳＷ３１２にオン命令５１３が送信され、第三電源部３０２が給電され、画像処理装置１００が通常電力モードへ移行することになる。
【０１２２】
なお、第三電源部３０２への給電を遅延させている間に（第５の時間が経過するまでの間に）、検知部４３０からの信号５１８が検知から非検知に変化した（ＨｉｇｈからＬｏｗに変化した）場合、又は、第二の排紙センサ２３３が手を検知した（信号５４１がＨｉｇｈとなった）場合には、状態判定部４３１は、遅延回路４３２からの遅延信号５２１を無効にする無効信号５２２をＨｉｇｈ状態にして出力判定部４３３へ送信する。出力判定部４３３は、無効信号５２２がＨｉｇｈ状態の場合、遅延信号５２１がＨｉｇｈ状態となっても、依頼命令５４０を出力しない。なお、状態判定部４３１は、一定時間（少なくとも第５の時間）、無効信号５２２をＨｉｇｈ状態に保持する。また、状態判定部４０１は、一定時間（例えば、人の手が第二の排紙センサ２３３で検知されてから紙を取って第二の人感センサ２３１の検知範囲１１２（図２）から立ち去るのに十分な時間を想定した第６の時間）、信号５１９、信号５２０の出力を行わない。即ち、一定時間（第６の時間）、省電力モードが維持される。なお、状態判定部４３１が無効信号５２２をＨｉｇｈ状態に保持している間に、第一の人感センサ２３０が人を検知しなくなると、画像処理装置１００は、省電力モード１に移行する。
【０１２３】
また、第三電源部３０２への給電を遅延させている間に（第１定時間が経過するまでの間に）、第二の人感センサ２３１からの信号５４２が検知状態（Ｈｉｇｈ）から非検知状態（Ｌｏｗ）へ変化した場合、状態判定部４３１は、無効信号５２２を出力判定部４１３へ送信する。なお、状態判定部４３１は、一定時間（少なくとも第１の時間）、無効信号５２２をＨｉｇｈ状態に保持する。
【０１２４】
また、状態判定部４３１は、通常電力モードにおいて、信号５１８がＨｉｇｈの状態（検知部４３０が紙を検知している状態）が一定時間（第３の時間）以上継続した場合、状態判定部４３１内のレジスタ４３１ａに排紙フラグとして「１」を記憶する。そして、省電力モードにおいて、状態判定部４３１は、排紙フラグが「１」の場合、信号５１８に関係なく、第二の人感センサ２３１から入力される信号５１５を、信号５１９として出力判定部４３３へ出力する。このように、胴内フィニッシャー１０３に紙が一定時間（第３の時間）以上放置されていた場合には、検知部４３０による紙の検知状態に関係なく、第二の人感センサ２３１が人を検知した場合には、通常電力モードへ移行することになる。
【０１２５】
図１２は、実施例３における画像処理装置１００のセンサ電源制御の一例を示すフローチャートである。以下、実施例１（図５）との差異のみを記載する。
画像処理装置１００は、通常電力モードから省電力モードへ移行しない場合（Ｓ１１でＮｏの場合）、即ち、通常電力モードの場合、Ｓ１２〜Ｓ１５に示す処理を実行する。なお、Ｓ１２〜Ｓ１５は、図５と同等の処理であるので説明は省略する。
【０１２６】
また、通常電力モードから省電力モードへ移行した場合（Ｓ１１でＹｅｓの場合）、即ち、省電力モードの場合、画像処理装置１００は、Ｓ１６以降に示す処理を実行する。なお、Ｓ１６〜Ｓ２１は、図５と同等の処理であるので説明は省略する。
【０１２７】
排紙センサ２３２は、検知部４３０が胴内フィニッシャー１０３上の用紙を検知した（排紙有り）か否（排紙無し）かに基づいて制御を行う。
排紙センサ２３２は、検知部４３０が胴内フィニッシャー１０３上の用紙を検知している（排紙有り）と判定した場合（Ｓ２１でＹｅｓの場合）、通常電力モードへの移行を遅延させるための制御を行う。詳細には、状態判定部４３１が、第二の人感センサ２３１からの入力信号５１５を出力信号５２０として遅延回路４３２に出力する。さらに、状態判定部４３１は、第二の排紙センサ２３３が手を検知していない（手検知無し）、且つ「排紙有り」の状態で、一定時間（遅延回路４３２の遅延時間（第５の時間））経過したかを判定する（Ｓ４０，Ｓ２２）。
【０１２８】
そして、「手検知無し」且つ「排紙有り」の状態で一定時間経過したと判定した場合（Ｓ４０でＮｏ且つＳ２２でＹｅｓの場合）、Ｓ４２に処理が移行する。
Ｓ４２では、排紙センサ２３２は、第二の人感センサ２３１が人を検知していると判定した場合（Ｓ４２でＹｅｓの場合）、依頼命令５４０を出力し、通常電力モードに移行させる（Ｓ２３）。詳細には、遅延回路４３２から、Ｈｉｇｈ状態の出力信号５２１が出力判定部４０３に出力され、出力判定部４３３が依頼命令５４０を出力する。これにより、通常電力モードへ移行する。
【０１２９】
一方、第二の人感センサ２３１が人を検知していない場合（Ｓ４２でＮｏの場合）、画像処理装置１００は、Ｓ１６に処理を戻す。
また、一定時間の経過前に、「手検知有り」に状態変化した、又は「排紙無し」に状態変化した場合（Ｓ４０Ｙｅｓの場合）、画像処理装置１００は、近づいてきた人が印刷物を取りに来たと判断し、一定時間（ここでは、第６の時間）、省電力モード１又は２を継続させ（Ｓ４１）、Ｓ１６に処理を移す。これは、手を検知してすぐにＳ１６へ移行して、Ｓ２１で「排紙無し」と判定された場合の不要な通常電力モードへの移行を防止することを目的としている。
【０１３０】
詳細には、状態判定部４３１が、少なくとも第５の時間、無効信号５２２（Ｈｉｇｈ）を遅延回路４３２へ送信するとともに、一定時間（第６の時間）、信号５１９、５２０の出力を行わないように制御する（Ｓ４１）。なお、図示しないが、状態判定部４３１が無効信号５２２をＨｉｇｈ状態に保持している間でも、第一の人感センサ２３０が人を検知しなくなると、画像処理装置１００は、省電力モード１に移行する。これにより、一定時間（第６の時間）、省電力モード１又は２が継続される。そして、画像処理装置１００全体では、Ｓ１６以降に示す処理を実行することとなる。
【０１３１】
図１３は、実施例３における画像処理装置１００の電源状態とセンサの検知状態の一例を示すシーケンス図である。
図１３（ａ）は、第一の排紙センサ２３２が紙を検知していない場合のシーケンス図である。
画像処理装置１００は、第一の人感センサ２３０が人を検知することで、第二電源部３０１に給電を行う。次に、画像処理装置１００は、第一の排紙センサ２３２の検知がない状態で第二の人感センサ２３１が検知したため、第三電源部３０２に給電を行い、通常電力モードへ移行する。
【０１３２】
図１３（ｂ）は第一の排紙センサ２３２が紙を検知して、ユーザが画像処理装置１００を使用するために近づいてきたと判定した場合のシーケンス図である。
画像処理装置１００は、第一の人感センサ２３０が人を検知することで、第二電源部３０１に給電を行う。次に、画像処理装置１００は、第一の排紙センサ２３２が紙を検知した状態で、第二の人感センサ２３１が人を検知したため、一時的に（第５の時間だけ）、第三電源部３０２への給電を遅延させる。そして、画像処理装置１００は、第三電源部３０２の給電が開始するまで、第二の排紙センサ２３３がユーザが紙を取る手を検知していないため、第三電源部３０２への給電を行い、通常電力モードを維持する。
【０１３３】
図１３（ｃ）は、第一の排紙センサ２３２が紙を検知して、ユーザが画像処理装置１００に印刷した出力を取りに来るために近づいてきたと判定した場合のシーケンス図である。
画像処理装置１００は、第一の人感センサ２３０が人を検知することで、第二電源部３０１に給電を行う。次に、画像処理装置１００は、第一の排紙センサ２３２が紙を検知した状態で、第二の人感センサ２３１が人を検知したため、一時的に（第５の時間だけ）、第三電源部３０２への給電を遅延させる。さらに、画像処理装置１００は、第三電源部３０２の給電が開始する前に、第二の排紙センサ２３３がユーザが紙を取る手を検知したため、第三電源部３０２への給電を無効にして省電力モードを維持する。
【０１３４】
図１３（ｄ）は、第一の排紙センサ２３２が紙を検知し、ユーザが画像処理装置１００に出力した紙を取りに来て且つ、画像処理装置を使用すると判定した場合のシーケンス図である。
画像処理装置１００は、第一の人感センサ２３０が人を検知することで、第二電源部３０１に給電を行う。次に、画像処理装置１００は、第二の人感センサ２３１が人を検知したが、第一の排紙センサ２３２が紙を検知しているため、一時的に（第５の時間だけ）、第三電源部３０２への給電を遅延させる。さらに、画像処理装置１００は、第三電源部３０２の給電が開始する前に、第二の排紙センサ２３３がユーザが紙を取る手を検知したため、一定時間（第６の時間）、省電力モードを維持する。そして、画像処理装置１００は、省電力モードを維持している間、第二の人感センサ２３１が人を検知状態が継続したため、画像処理装置１００を使用すると判定し、第三電源部３０２へ給電を行い、通常電力モードへ移行する。
【０１３５】
図１３（ｅ）は第一の排紙センサ２３２が紙を検知した状態で一定時間継続し、且つ省電力モードへ移行したため、ユーザが画像処理装置１００に近づいてきた場合に、使用すると判定した場合のシーケンス図である。
画像処理装置１００は、一定時間（第３の時間）以上、第一の排紙センサ２３２が検知した状態の場合、画像処理装置１００は、排紙フラグを「１」にする。そして、画像処理装置１００は、省電力モードへの移行条件を満たした場合、画像処理装置１００は、省電力モード１へ移行する。
その後、画像処理装置１００は、第一の人感センサ２３０が人を検知することで、第二電源部３０１に給電を行い、省電力モード２へ移行する。そして、画像処理装置１００は、排紙フラグが「１」であるため、第一の排紙センサ２３２の検知がある状態でも第二の人感センサ２３１が検知することで、第三電源部３０２に給電を行い、通常電力モードへ移行する。
【０１３６】
以上のように、人感センサ二つと排紙センサ二つを用いることで、画像処理装置１００に近づいてきたユーザの用途を、より正確に素早く判定し、例えば胴内排紙部に排紙された用紙を取りに来た人をより確実に判定し、不要な省電力モードからの復帰を防止することが可能である。そのため、ユーザの利便性の向上を図りつつ、不要な電力消費の低減と寿命のある装置部品の延命をすることが可能となる。
【０１３７】
なお、本実施例の画像処理装置１００の構成は、図１１Ａ、図１１Ｂに示したような構成に限定されるものではなく、図１２、図１３に示したような電源制御を実現できる構成であればよい。
【実施例４】
【０１３８】
実施例４については、実施例３との差異を説明する。
実施例３では、排紙センサを二つ使用することで、第一の排紙センサ２３２での検知状況により復帰を遅延させている間に、第二の排紙センサ２３３の検知状況で不要な省電力モードからの復帰を制限する構成を示した。
実施例４では、第二の排紙センサ２３３への給電を第一の排紙センサ２３２の検知状況で切り替えることで、より省電力で復帰命令出力の制御を可能としたものである。このような構成を取ることで、省電力で画像処理装置１００へ近づいてきた人の用途を、より正確に判定することを可能とし、利便性を確保することが可能となる。
以下、実施例３との差異を説明する。
【０１３９】
以下、図１４Ａ、図１４Ｂを用いて、実施例４における、センサを用いた電力モード移行に関して、詳細に説明する。
図１４Ａは、実施例４における画像処理装置１００の給電構成の一例を示すブロック図であり、図１１Ａと同一のものには同一の符号を付してある。
実施例４では、第一の排紙センサ２３２の検知状態によって、ＳＷ４５０にＯＮ／ＯＦＦ信号５５０を送信して、第二の排紙センサ２３３への給電状態を切り替える。このＳＷ４５０には、リレーやＦＥＴなど、給電状態を切り替えることの出来るデバイスであれば良い。
第二の人感センサ２３１、第一の排紙センサ２３２、第二の排紙センサ２３３は、第二電源部３０１で供給される。
【０１４０】
図１４Ｂは、実施例４における、第一の排紙センサ２３２と第二の人感センサ２３１、第二の排紙センサ２３３についての詳細なブロック図である。
第一の排紙センサ２３２内にある検知部４５１は、胴内フィニッシャー１０３内の紙の有無を示す信号５１８を状態判定部４５２へ出力する。
【０１４１】
状態判定部４５２は、検知部４５１の紙検知状態を判定し、検知部４５１が紙を検知していない場合には、第二の排紙センサ２３３に給電させる。一方、検知部４５１が紙を検知している場合には、状態判定部４５２は、第二の排紙センサ２３３への給電を一時的に遅らせるように制御する。以下、より具体的に説明する。
【０１４２】
状態判定部４５２は、信号５１８がＬｏｗの場合（検知部４５１が紙を検知していない場合）、ＳＷ４５０へＯＮ信号５５０を送信する。一方、信号５１８がＨｉｇｈの場合（検知部４１０が紙を検知している場合）、状態判定部４５２は、ＳＷ４５０へＯＦＦ信号を送信する。
【０１４３】
この時、検知部４５１が検知から非検知へ移行した場合には、一定時間状態を維持させても良い。これは、紙なしを検知してすぐに第二の人感センサ２３１の反応を受けて復帰してしまう可能性があるため、不要な通常電力モードへの移行を防ぐことを目的とする。
その他の処理は、実施例３と同様のため説明を省略する。
【０１４４】
図１５は、実施例４における画像処理装置１００のセンサ電源制御の一例を示すフローチャートである。以下、実施例３（図１２）との差異のみを記載する。
画像処理装置１００は、通常電力モードから省電力モードへ移行しない場合（Ｓ１１でＮｏの場合）、即ち、通常電力モードの場合、Ｓ１２〜Ｓ１５に示す処理を実行する。なお、Ｓ１２〜Ｓ１５は、図１２と同等の処理であるので説明は省略する。
【０１４５】
また、通常電力モードから省電力モードへ移行した場合（Ｓ１１でＹｅｓの場合）、即ち、省電力モードの場合、画像処理装置１００は、Ｓ１６以降に示す処理を実行する。なお、Ｓ１６〜Ｓ２１は、図５と同等の処理であるので説明は省略する。
【０１４６】
排紙センサ２３２は、検知部４５１が胴内フィニッシャー１０３上の用紙を検知した（排紙有り）か否（排紙無し）かに基づいて制御を行う。
排紙センサ２３２は、検知部４５１が胴内フィニッシャー１０３上の用紙を検知している（排紙有り）と判定した場合（Ｓ２１でＹｅｓの場合）、オン信号５５０を出力し、第二の排紙センサ２３３への給電を開始させ（Ｓ３０）、Ｓ４０へ移行する。詳細には、状態判定部４５２が、ＳＷ４５０へＯＮ信号５５０を送信する。これにより、ＳＷ４５０がＯＮとなり、第二の排紙センサ２３３への給電を開始される。
なお、Ｓ４０，４１，２２，２３は、図１２と同等の処理であるので説明は省略する。
【０１４７】
図１６は、実施例４における画像処理装置１００の電源状態とセンサの検知状態の一例を示すシーケンス図である。
図１６（ａ）は、第一の排紙センサ２３２が紙を検知していない場合のシーケンス図である。
画像処理装置１００は、第一の人感センサ２３０が人を検知することで、第二電源部３０１に給電を行う。次に、画像処理装置１００は、第一の排紙センサ２３２の検知がないため、第二の排紙センサ２３３には給電しない。そして、画像処理装置１００は、第二の人感センサ２３１が人を検知したため、第三電源部３０２に給電を行い、通常電力モードへ移行する。
【０１４８】
図１６（ｂ）は、第一の排紙センサ２３２が紙を検知して、ユーザが画像処理装置１００を使用するために近づいてきたと判定した場合のシーケンス図である。
画像処理装置１００は、第一の人感センサ２３０が人を検知することで、第二電源部３０１に給電を行う。次に、画像処理装置１００は、第一の排紙センサ２３２が紙を検知したため、第二の排紙センサ２３３に給電を行う。
【０１４９】
そして、画像処理装置１００は、第二の人感センサ２３１が人を検知したが、第一の排紙センサ２３２が紙を検知しているため、一時的に（第５の時間だけ）、第三電源部３０２への給電を遅延させる。そして、画像処理装置１００は、第三電源部３０２の給電が開始するまで、第二の排紙センサ２３３がユーザの紙を取る手を検知していないため、且つ、第一の排紙センサ２３２が紙を検知しているため、第三電源部３０２への給電を行い、通常電力モードへ移行する。
【０１５０】
図１６（ｃ）は、第一の排紙センサ２３２が紙を検知して、ユーザが画像処理装置１００に印刷した出力を取りに来るために近づいてきたと判定した場合のシーケンス図である。
画像処理装置１００は、第一の人感センサ２３０が人を検知することで、第二電源部３０１に給電を行う。次に、画像処理装置１００は、第一の排紙センサ２３２が紙を検知したため、第二の排紙センサ２３３に給電を行う。
【０１５１】
そして、画像処理装置１００は、第二の人感センサ２３１が人を検知したが、第一の排紙センサ２３２が紙を検知しているため、一時的に（第５の時間だけ）、第三電源部３０２への給電を遅延させる。そして、画像処理装置１００は、第三電源部３０２の給電が開始する前に、第二の排紙センサ２３３がユーザが紙を取る手を検知し、且つ、第二の人感センサ２３１が人を検知しなくなったため、第三電源部３０２への給電を無効にして省電力モードを維持する。
【０１５２】
なお、第二の排紙センサ２３３が手を検知して一定時間、その時の電力状態を維持させても良い（第二の排紙センサ２３３への給電も含めて維持する）。これは、第二の排紙センサ２３３が手を検知から非検知に変化した場合に第二の人感センサ２３１が検知状態を維持していた場合の不要な通常電力モードへの移行を防止することを目的とする。
【０１５３】
図１６（ｄ）は、第一の排紙センサ２３２が紙を検知し、ユーザが画像処理装置１００に出力した紙を取りに来て且つ、画像処理装置を使用すると判定した場合のシーケンス図である。
画像処理装置１００は、第一の人感センサ２３０が人を検知することで、第二電源部３０１に給電を行う。次に、画像処理装置１００は、第一の排紙センサ２３２が紙を検知したため、第二の排紙センサ２３３に給電を行う。
【０１５４】
次に、画像処理装置１００は、第二の人感センサ２３１が人を検知したが、第一の排紙センサ２３２が紙を検知しているため、一時的に、第三電源部３０２への給電を遅延させる。
そして、画像処理装置は、遅延させている間に、第二の排紙センサ２３３が手を検知したが、一定時間（第６の時間）以上、第二の人感センサ２３１が人を検知した状態が継続したため、画像処理装置１００を使用すると判定し、第三電源部３０２に給電を行い、通常電力モードへ移行する。
【０１５５】
図１６（ｅ）は、第一の排紙センサ２３２が紙を検知した状態で一定時間継続し、且つ省電力モードへ移行したため、ユーザが画像処理装置１００に近づいてきた場合に、使用すると判定した場合のシーケンス図である。
通常電力モードにおいて、一定時間（第３の時間）以上、第一の排紙センサ２３２が検知した状態の場合、画像処理装置１００は、排紙フラグを「１」にする。そして、画像処理装置１００は、省電力モードへの移行条件を満たした場合、省電力モード１へ移行する。その後、画像処理装置１００は、第一の人感センサ２３０が人を検知することにより、第二電源部３０１に供給を行い、省電力モード２へ移行する。
【０１５６】
次に、画像処理装置１００は、第一の排紙センサ２３２が紙を検知したため、第二の排紙センサ２３３に給電を行う。また、画像処理装置１００は、排紙フラグが「１」であるため、第一の排紙センサ２３２の検知がある状態でも、第二の人感センサ２３１が検知することにより、第三電源部３０２に供給を行う。
【０１５７】
以上のように、人感センサ二つと排紙センサ二つと第二の排紙センサ２３３への給電ＳＷ４５０を用いることで、省電力で画像処理装置１００に近づいてきたユーザのより正確に素早く用途を判定し、例えば胴内排紙部に排紙された用紙を取りに来た人をより正確に素早く判定し、不要な省電力モードからの復帰を防止することが可能である。そのため、ユーザの利便性の向上を図りつつ、不要な電力消費の低減と寿命のある装置部品の延命をすることが可能となる。
【０１５８】
なお、本実施例の画像処理装置１００の構成は、図１４Ａ、図１４Ｂに示したような構成に限定されるものではなく、図１５、図１６に示したような電源制御を実現できる構成であればよい。
【０１５９】
以上のように、本発明の各実施例によれば、近づいてきたユーザの用途、例えば胴内排紙部に排紙された用紙を取りに来た等の用途を判定し、不要な省電力モードからの復帰を防止し、ユーザの利便性の向上を図ることができる。よって、不要な電力消費を低減することができる。また、省電力モードで給電されていない装置部品に対する、不要な電源投入を防止できるため、寿命のある装置部品を延命することができる。
例えば、排紙センサ２３２が胴内フィニッシャー１０３に排紙された紙を検知している場合（Ｓ２１でＹｅｓの場合）には、第二の人感センサ２３１に検知される物体は紙を取りに来たユーザである可能性が高いと判断し、第二の人感センサ２３１による物体の検知による省電力モードから通常電力モードへの移行を所定時間経過後に実行し、排紙センサ２３２が胴内フィニッシャー１０３に排紙された紙を検知していない場合（Ｓ２１でＮｏの場合）には、第二の人感センサ２３１に検知される物体は紙を取りに来たユーザである可能性が低いと判断し、前記通常電力モードへの移行を前記所定時間経過前に実行することにより、画像処理装置１００に近づいてきたユーザの用途をより確実に判定し、不要な省電力モードからの復帰を防止することができ、寿命のある装置部品を延命することができる。
【０１６０】
なお、電源制御部２０３や第一の排紙センサ２３２が行う制御は、フラッシュメモリ等の記憶部にコンピュータ読み取り可能に記録されたプログラムを、電源制御部２０３や第一の排紙センサ２３２内のプロセッサが読み出して実行することにより実現される構成であってもよいし、回路等のハードウェア構成により実現されるものでもよい。
【０１６１】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１６２】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１６３】
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１６４】
２０２    電源部
２０３    電源制御部
２３０    第一の人感センサ
２３１    第二の人感センサ
２３２    排紙センサ
【図１】
2014108606.tif 000003
【図２】
2014108606.tif 000004
【図３】
2014108606.tif 000005
【図４Ａ】
2014108606.tif 000006
【図４Ｂ】
2014108606.tif 000007
【図５】
2014108606.tif 000008
【図６】
2014108606.tif 000009
【図７Ａ】
2014108606.tif 000010
【図７Ｂ】
2014108606.tif 000011
【図８】
2014108606.tif 000012
【図９】
2014108606.tif 000013
【図１０】
2014108606.tif 000014
【図１１Ａ】
2014108606.tif 000015
【図１１Ｂ】
2014108606.tif 000016
【図１２】
2014108606.tif 000017
【図１３】
2014108606.tif 000018
【図１４Ａ】
2014108606.tif 000019
【図１４Ｂ】
2014108606.tif 000020
【図１５】
2014108606.tif 000021
【図１６】
2014108606.tif 000022